(57)【特許請求の範囲】
【請求項１】
複数の軸体が、設定間隔おきに平行又はほぼ平行に並設され、軸芯方向とほぼ直角に回動駆動されるように設けられるとともに、前記各軸体の夫々に、各軸体の軸芯方向に沿って移動自在に複数の載置搬送用支持体が装着されて、前記軸体の回動方向に沿って物品を載置搬送するように構成され、
前記軸体の回動経路における物品が供給される物品供給部分においては、前記各軸体に装着される複数の搬送用支持体を、隣接するものが接近する近接状態とし、且つ、前記回動経路における前記物品供給部分に続く分岐作用領域においては、前記各軸体に装着される複数の搬送用支持体を、その隣接するものが徐々に離間する離間状態とするように、前記各搬送用支持体を前記軸芯方向に沿って案内移動させる案内手段が備えられている物品の分配供給装置であって、
前記搬送用支持体が、前記軸芯方向両端側が大径で、軸芯方向中央側に向けて漸次小径となる中細りのローラ状に形成されて、前記軸体の軸芯周りで自転可能に前記軸体に装着され、
前記案内手段が、前記搬送用支持体の前記軸芯方向端部に接当して前記軸芯方向に沿って案内移動させる搬送ガイド部材にて構成され、
前記複数の軸体が前記回動経路に沿って回動するに伴って、少なくとも前記分岐作用領域において、前記搬送用支持体を前記軸体の軸芯周りで自転回動させる自転手段が設けられ、
この自転手段は、前記複数の軸体が前記回動経路に沿って回動するに伴って、それと一体に移動する前記搬送用支持体の外周面における下側部分に摺接作用するように固定設置される摺接部材にて構成されている物品の分配供給装置。
【請求項２】
複数の軸体が、設定間隔おきに平行又はほぼ平行に並設され、軸芯方向とほぼ直角に回動駆動されるように設けられるとともに、前記各軸体の夫々に、各軸体の軸芯方向に沿って移動自在に複数の載置搬送用支持体が装着されて、前記軸体の回動方向に沿って物品を載置搬送するように構成され、
前記軸体の回動経路における物品が供給される物品供給部分においては、前記各軸体に装着される複数の搬送用支持体を、隣接するものが接近する近接状態とし、且つ、前記回動経路における前記物品供給部分に続く分岐作用領域においては、前記各軸体に装着される複数の搬送用支持体を、その隣接するものが徐々に離間する離間状態とするように、前記各搬送用支持体を前記軸芯方向に沿って案内移動させる案内手段が備えられている物品の分配供給装置であって、
前記搬送用支持体が、前記軸芯方向両端側が大径で、軸芯方向中央側に向けて漸次小径となる中細りのローラ状に形成されて、前記軸体の軸芯周りで自転可能に前記軸体に装着され、
前記案内手段が、前記搬送用支持体の前記軸芯方向端部に接当して前記軸芯方向に沿って案内移動させる搬送ガイド部材にて構成され、
前記複数の軸体が前記回動経路に沿って回動するに伴って、少なくとも前記分岐作用領域において、前記搬送用支持体を前記軸体の軸芯周りで自転回動させる自転手段が設けられ、
この自転手段は、
前記各搬送用支持体を前記各軸体に対して一体回動すべく取付け、且つ、各軸体にピニオンギアを取付け、このピニオンギアに噛合うラックギアを搬送方向に沿って配置して、前記搬送用支持体を前記軸体の軸芯周りで自転回動させるように構成されている物品の分配供給装置。
【請求項３】
前記物品として農産物を搬送するように構成され、
前記搬送用支持体は、少なくともその外周部が弾性体にて構成されている請求項１又は２記載の物品の分配供給装置。
【発明の詳細な説明】
【０００１】
【発明の属する技術分野】
本発明は、例えば、ミカン、トマト、玉葱、りんご、桃、梨、茄子等の果菜類、ジャガイモ、サツマイモ等の根菜類等の農産物、あるいは、卵等の畜産物等の種々の物品を分配供給するための物品の分配供給装置に関し、詳しくは、複数の軸体が、設定間隔おきに平行又はほぼ平行に並設され、軸芯方向とほぼ直角に回動駆動されるように設けられるとともに、前記各軸体の夫々に、各軸体の軸芯方向に沿って移動自在に複数の載置搬送用支持体が装着されて、前記軸体の回動方向に沿って物品を載置搬送するように構成され、前記軸体の回動経路における物品が供給される物品供給部分においては、前記各軸体に装着される複数の搬送用支持体を、隣接するものが接近する近接状態とし、且つ、前記回動経路における前記物品供給部分に続く分岐作用領域においては、前記各軸体に装着される複数の搬送用支持体を、その隣接するものが徐々に離間する離間状態とするように、前記各搬送用支持体を前記軸芯方向に沿って案内移動させる案内手段が備えられている物品の分配供給装置に関する。
【０００２】
【従来の技術】
上記構成の物品の分配供給装置は、例えば、平ベルト式のベルトコンベア等のように物品が平面状に密集状態で載置搬送される前工程の搬送手段により、当該分配供給装置における前記物品供給部分に対して物品が供給された後、前記分岐作用領域において、平面状に密集状態で供給される物品を複数の搬送ラインの夫々にて１個づつの縦列状態になるように分岐させるようにして、各搬送ラインに夫々連なるように設けられる後工程の複数の搬送ラインの夫々に、物品が１個づつ縦列状態で搬送させることができるようにしたものである。
【０００３】
そして、上記構成の物品の分配供給装置において、従来では、例えば特公平６−１０２４８８号公報に示される構成のものがあった。
つまり、前記各軸体（上記公報ではバー１０４が対応している）に装着される複数の搬送用支持体（上記公報では搬送素子１０５が対応している）が、物品を載置搬送する搬送載置面が所謂、中凹み型の受け皿形状に構成され、その搬送載置面が物品載置用の姿勢を維持するように、軸体に対して、軸体の軸芯方向に沿う移動のみ許容する状態で装着される構成となっていた。
【０００４】
【発明が解決しようとする課題】
ところで、上記構成の物品の分配供給装置においては、前記物品供給部分において、物品が互いに重なり合うような状態で供給されたような場合であれば、１つの搬送用支持体上に複数の物品が重なりあって載置された状態で搬送が行われることがある。
しかしながら、上記従来構成においては、このように複数の物品が重なり合って載置された状態で搬送が行われる場合には、前記物品供給部分に続く分岐作用領域において、案内手段によって前記離間状態になるように搬送用支持体が軸体の軸芯方向に沿って案内移動されるとしても、その搬送載置面が物品載置用の姿勢を維持するように、軸体に対して、軸体の軸芯方向に沿う移動のみ許容される状態で装着される構成となっていることから、上述したような複数の物品が重なりあって載置された状態がそのまま維持されて搬送が継続され、複数の搬送ラインに沿って一列状態で物品を分岐供給させる分岐供給作用が適切に行えないものとなるおそれがあった。
【０００５】
本発明はかかる点に着目してなされたものであり、その目的は、合理的な構成を採用することにより、適切に複数の搬送ラインに物品を分岐供給させることが可能となる物品の分配供給装置を提供する点にある。
【０００６】
【課題を解決するための手段】
請求項１に記載の特徴構成によれば、上記構成の物品の分配供給装置において、前記搬送用支持体が、前記軸芯方向両端側が大径で、軸芯方向中央側に向けて漸次小径となる中細りのローラ状に形成されて、前記軸体の軸芯周りで自転可能に前記軸体に装着され、前記案内手段が、前記搬送用支持体の前記軸芯方向端部に接当して前記軸芯方向に沿って案内移動させる搬送ガイド部材にて構成され、前記複数の軸体が前記回動経路に沿って回動するに伴って、少なくとも前記分岐作用領域において、前記搬送用支持体を前記軸体の軸芯周りで自転回動させる自転手段が設けられている。
尚、物品が、軸体の並び方向に沿って並ぶ一対の搬送用支持体同士の間の凹み部分に位置して、それら一対の搬送用支持体同士を跨ぐ状態で載置されるように、搬送用支持体の大きさや軸体の設定間隔を設定しておくとよい。
【０００７】
つまり、前記複数の搬送用支持体がその隣接するものが接近する近接状態となっている物品供給部分において、物品が供給される場合、軸芯方向中央側に向けて漸次小径となる中細りのローラ状に形成された搬送用支持体の複数が、設定間隔おきに並ぶ状態で設けられているので、供給される物品は、設定間隔をあけて並ぶ一対の搬送用支持体同士の間の凹み部分に位置してそれらを跨ぐように載置されるとともに、各搬送用支持体の軸芯方向両端側より下方側に位置する軸芯方向中央側に向けて案内されて、安定した状態で載置されることになる。
しかも、物品が互いに重なり合って供給されたような場合であっても、複数の軸体が回動経路に沿って回動するに伴って、自転手段によって、分岐作用領域において搬送用支持体が軸体の軸芯周りで自転回動することになるので、上記したように設定間隔をあけて並ぶ一対の搬送用支持体を跨ぐように載置された状態で搬送されている物品も、搬送用支持体との間での摺接作用によって回動することになり、物品同士の重なり状態が崩されて、余分な物品は搬送方向前後に位置ずれしたり、あるいは、搬送用支持体による載置搬送箇所から横外方に放出されたりして、物品が１個づつ列状になって搬送用支持体上に載置支持されて搬送される状態となる。
その結果、合理的な構成を採用することにより、適切に複数の搬送ラインに物品を分岐供給させることが可能となる物品の分配供給装置を提供できるに至った。
【０００８】
又、請求項１に記載の特徴構成によれば、前記自転手段は、前記複数の軸体が前記回動経路に沿って回動するに伴って、それと一体に移動する前記搬送用支持体の外周面における下側部分に摺接作用するように固定設置される摺接部材にて構成されている。
【０００９】
つまり、前記複数の軸体が回動経路に沿って回動すると、それと一体に搬送用支持体が移動するが、そのとき、固定設置される摺接部材が搬送用支持体の外周面における下側部分に摺接作用して搬送用支持体を自転させるのである。
【００１０】
このように構成すると、例えば、前記各軸体に、ピニオンギア等の噛合回転体を設けるとともに、それらの軸体が前記回動経路に沿って回動するに伴って、その噛合回転体が順次噛合うラックギア等の固定噛合部材を設け、噛合回転体が固定噛合部材に噛合うことにより、前記各軸体自体を自転させるように構成するものに比べて、前記摺接部材を固定設置するだけの構成で済み、簡単な構造で済ませられる利点があり、しかも、摺接部材は比較的大径である搬送用支持体の外周面に摺接作用するので、それよりも小径の軸体の外周面に摺接作用する構成に比べて、摺接抵抗が小さく摩耗するおそれも少なくなり、それだけ耐久性が向上する利点もある。
【００１１】
請求項２に記載の特徴構成によれば、上記構成の物品の分配供給装置において、前記搬送用支持体が、前記軸芯方向両端側が大径で、軸芯方向中央側に向けて漸次小径となる中細りのローラ状に形成されて、前記軸体の軸芯周りで自転可能に前記軸体に装着され、前記案内手段が、前記搬送用支持体の前記軸芯方向端部に接当して前記軸芯方向に沿って案内移動させる搬送ガイド部材にて構成され、前記複数の軸体が前記回動経路に沿って回動するに伴って、少なくとも前記分岐作用領域において、前記搬送用支持体を前記軸体の軸芯周りで自転回動させる自転手段が設けられ、この自転手段は、前記各搬送用支持体を前記各軸体に対して一体回動すべく取付け、且つ、各軸体にピニオンギアを取付け、このピニオンギアに噛合うラックギアを搬送方向に沿って配置して、前記搬送用支持体を前記軸体の軸芯周りで自転回動させるように構成されている。
【００１２】
請求項３に記載の特徴構成によれば、前記物品として農産物を搬送するように構成され、前記搬送用支持体は、少なくともその外周部が弾性体にて構成されている。
従って、物品を載置搬送する搬送用支持体の外周部が弾性体にて構成されているので、農産物のように表面が軟かく傷付き易い物品を搬送用支持体が自転しながら搬送するものであっても、物品を傷付けるおそれが少ない状態で、適切に分岐搬送することが可能となる。
【００１３】
【発明の実施の形態】
以下、本発明に係る物品の分配供給装置について、物品として、農産物の一例である蜜柑を搬送しながら選別処理するための選果設備に適用した場合について図面に基づいて説明する。
図１に、搬入されたミカンＭを搬送しながら選別処理するための選果設備の概略の構成が示されている。この設備では、搬入部１にて搬入されたミカンＭは、広幅の一つの搬送経路にて搬送が開始され、図示はしないが、その搬送中において、例えば、洗浄機やワックス処理機等により表面処理が行われることになる。そして、広幅の搬送経路に沿って搬送されてきたミカンＭが、分岐部２において搬送方向に沿って複数の搬送ラインに分岐され、各搬送ラインではミカンＭが一列状に並ぶ状態で整列されて載置搬送されることになる。そして、このような一列状態で搬送される各搬送ラインの夫々において、選別処理部３にて例えば糖酸度計による計測やＣＣＤカメラの撮像情報に基づく外観検査等に基づいて等級等の仕分け用ランク判定が行われて、仕分け部４にて仕分け用ランク判定の結果に基づいてミカンＭがランク別に仕分けられ、仕分けられたミカンＭが箱詰め部５において箱詰めされて出荷される構成となっている。
【００１４】
次に、前記分岐部２を構成する分配供給装置２Ａについて説明する。
この分配供給装置２Ａは、広幅の搬送経路を備える供給コンベア６から供給されるミカンＭを、複数の搬送ラインとしての６本の搬送コンベア７夫々に一列状に分岐させて供給するように構成されている。
詳述すると、図２〜図５に示すように、４本の支柱８ａを備えた平面視略矩形状の支持フレーム８にて全体が支持される構成となっており、支持フレーム８における左右両側の側部フレーム部８ｂ，８ｂに断面Ｌ字形の支持枠９，９が夫々取付けられている。そして、搬送方向始端側及び終端側夫々において、左右の支持枠９，９に固定された各軸受け部材１０，１１にて回動支軸１２，１３が架設支持される状態で設けられ、各回動支軸１２，１３には、その軸芯方向の両端部及び中央部の３個所に夫々スプロケット１４，１５，１６が備えられて、各回動支軸１２，１３の対応するスプロケット同士にわたり搬送方向に沿って３個の無端回動チェーン１７，１８，１９が巻回張設されている。
【００１５】
各回動支軸１２，１３の軸芯方向の両端部、即ち、左右横幅方向の両端部に位置する夫々の無端回動チェーン１７，１９夫々と、左右横幅方向の中央部に位置する無端回動チェーン１８とにわたって、設定間隔おきに平行又はほぼ平行に並ぶ状態で複数の軸体２０が架設支持されている。つまり、図６、図７に示すように、前記各無端回動チェーン１７，１８，１９におけるチェーンリンク２１に一体形成した取付け部２１ａに、軸体２０の端部に固定の連結具２２を連結固定することで架設支持する構成としてあり、中央部に位置する無端回動チェーン１８はその両側のチェーンリンク２１に、夫々、左右両側に位置する軸体２０を連結する構成としている。尚、図５における符号４０，４１は、各無端回動チェーン１７，１８，１９の搬送姿勢を水平に維持するためのチェーンガイドである。
そして、前記各軸体２０の夫々には、各軸体２０の軸芯方向に沿って移動自在に複数（図に示す例では３個）の載置搬送用支持体２３が装着されている。この搬送用支持体２３は、軸芯方向両端側が大径で、軸芯方向中央側に向けて漸次小径となる中細りのローラ状に形成されて、軸体２０の軸芯周りで自転可能に軸体２０に装着される構成となっている。
この搬送用支持体２３は、図６に示すように、多くの部分が弾性体の一例であるゴム材にて構成されており、前記軸体２０に外嵌摺接する挿通孔２０ａの両端部には、上述したような自転並びに摺動を円滑に行うために金属製のブッシュ２４が設けられている。
【００１６】
支持フレーム８に支持される状態で電動モータ２５が取付けられ、この電動モータ２５により伝動チェーン２６を介して一端側に位置する回動支軸１２を回転駆動するように構成され、この電動モータＭの回転駆動によって、前記各無端回動チェーン１７，１８，１９が一体的に回動して、前記各軸体２０がその並び方向に対応する回動経路に沿って回動駆動されて、前記各搬送用支持体２３の上部側に載置支持される状態でミカンＭが搬送されるように構成されている。つまり、図５に示すように、前記各無端回動チェーン１７，１８，１９により形成される無端状の回動経路のうち上側に位置して水平方向に沿う回動経路部分において載置搬送用の搬送作用領域が形成されている。
このようにして、複数の軸体２０が、設定間隔おきに平行又はほぼ平行に並設され、軸芯方向とほぼ直角に回動駆動されるように設けられるとともに、前記各軸体２０の夫々に、各軸体２０の軸芯方向に沿って移動自在に複数の載置搬送用支持体２３が装着されて、軸体２０の回動方向に沿って物品を載置搬送するように構成されている。
【００１７】
そして、前記軸体２０の回動経路のうち前記搬送作用領域中における物品が供給される物品供給部分においては、各軸体２０に装着される複数の搬送用支持体２３を、隣接するものが接近する近接状態とし、前記搬送作用領域中における前記物品供給部分に続く分岐作用領域においては、各軸体２０に装着される複数の搬送用支持体２３を、その隣接するものが徐々に離間する離間状態とするように、各搬送用支持体２３を軸芯方向に沿って案内移動させる案内手段が備えられている。
詳述すると、図２〜図４に示すように、支持フレーム８の左右側部フレーム部８ｂ，８ｂに取付けられた各支持枠９，９にわたって、搬送方向に沿って適宜間隔をあけて３個の中継フレーム材２７が架設支持され、これらの中継フレーム材２６にて固定支持される状態で、前記分岐作用領域において、ミカンＭを載置搬送する各搬送用支持体２３の軸芯方向両端部箇所に接当作用して、搬送終端側では、前記各搬送用支持体２３の隣接するものが離間する離間状態となるように、平面視で屈曲経路を描くように、各搬送用支持体２３を軸芯方向に沿って案内移動させる案内手段としての帯板状の搬送ガイド部材２８が取付けられている。
この搬送ガイド部材２８は、ミカンＭを載置搬送する上側の移動経路に位置する各搬送用支持体２３だけでなく、下側の移動経路に位置する各搬送用支持体２３に対しても作用する構成となっており、この下側の移動経路では、搬送終端側において前記離間状態となっている前記各搬送用支持体２３を前記近接状態に復帰させるように案内する構成となっている。
【００１８】
そして、複数の軸体２０が前記回動経路に沿って回動するに伴って、少なくとも前記分岐作用領域において、搬送用支持体２３を軸体２０の軸芯周りで自転回動させる自転手段ＪＳが設けられている。具体的には、この自転手段ＪＳは、複数の軸体２０が回動経路に沿って回動するに伴って、それと一体に移動する搬送用支持体２３の外周面におけるミカンＭの載置作用箇所以外の箇所、具体的には、下側部分に摺接作用するように固定設置される摺接部材２９にて構成されている。
この摺接部材２９は、図２〜図４に示すように、前記各軸体２０の移動通過域のほぼ全域にわたる広幅の板体にて構成され、上側の移動経路に対応する搬送ガイド部材２８は、この板状の摺接部材２９に一体的に固定する状態で設けられている。この板状の摺接部材２９は、搬送に伴って発生する塵埃等が下方に落下することを受け止める機能も発揮する構成となっている。
【００１９】
次に、このような構成の分配供給装置２Ａの分配供給動作について説明する。広幅の搬送経路を備える前記供給コンベア６から、案内シュート３０を介して、搬送作用経路の搬送始端部にミカンＭが搬送供給されてくる。このとき、ミカンＭはバラバラの状態で連続して搬送されることになるが、ミカンＭは、隣接するものが接近する近接状態となっている前記各搬送用支持体２３に載置される状態で搬送方向下手側に向けて順次搬送されていくことになる。
【００２０】
このとき、搬送方向に沿ってほぼ連続的に並ぶ状態で位置する各搬送用支持体２３が、軸芯方向両端側が大径で、軸芯方向中央側に向けて漸次小径となる中細りのローラ状に形成されていることから、ミカンＭは各搬送用支持体２３の小径の中央側に転がりこみ１個づつ安定した状態になり易い。そして、例えば、図９（イ）に示すように、誤って複数のミカンＭが重なり合って載置されることがあっても、図１１にも示すように、無端回動チェーン１７，１８，１９の回動にて各軸体２０が回動移動するに伴って、各搬送用支持体２３が摺接部材２９に摺接しながら自転することから、重なり合って載置している複数のミカンＭの重なり状態が崩されて、図９（ロ）、（ハ）に示すように、各搬送用支持体２３の小径の中央側に１個づつ安定した状態で載置されることになる。しかも、前記搬送ガイド部材２８による接当作用によって、前記離間状態となるように各搬送用支持体２３が軸芯方向に沿って案内移動させることから、例えば、図９（ロ）に示すように、横幅方向に隣接する各搬送用支持体２３にわたって跨るようにミカンＭが載置することがあっても、このようなミカンＭは上記案内移動に伴って、図９（ロ）、（ハ）に示すように、離間していく各搬送用支持体２３の間に落下して複数個が重なり合う状態が適切に解除されることになり、各搬送用支持体２３の小径の中央側に１個づつ安定した状態で載置搬送される状態となる。
【００２１】
尚、上記したように重なり状態が崩されて、各搬送用支持体２３の横外側方に放出されるミカンＭは、前記軸体２０上に載置されるので、このようなミカンＭは、近くにいる作業者が適宜、手作業にて取り除いて搬送上手側に戻すようにしている。
又、この分配供給装置２Ａの搬送速度は、搬送上手側に位置する前記供給コンベア６による搬送速度よりも大に設定されており、搬送下手側に位置する搬送コンベア７による搬送速度よりも小になるように設定されている。従って、分配供給装置２Ａの搬送速度は、供給コンベア６による搬送速度よりも大であるから、分配供給装置２Ａの搬送始端部でミカンが滞留するおそれが少なく、しかも、搬送コンベア７の搬送速度は、分配供給装置２Ａによる搬送速度よりも大であるから、搬送コンベア７の搬送始端部でミカンが滞留するおそれが少なく、極力円滑に搬送させることができる。
【００２２】
そして、上述したように各搬送用支持体２３の小径の中央側に１個づつ安定した状態で搬送終端側まで載置搬送されてきたミカンＭは、バケット式コンベアに構成された複数の搬送コンベア７の夫々にて１個づつ一列状態に載置される状態で後工程に向けて搬送されて行くことになる。
つまり、搬送コンベア７による各搬送ラインの夫々では、選別処理部３において、一列状態で載置搬送されるミカンＭを１個づつ、糖酸度計による計測やＣＣＤカメラの撮像情報に基づく外観検査を行い、その結果に基づいて等級等の仕分け用ランク判定が行われる。そして、仕分け部４にて仕分け用ランク判定の結果に基づいてミカンＭがランク別に仕分けられて、仕分けられたランク別に箱詰め部５によって箱詰めして出荷されることになる。
【００２３】
〔別実施形態〕
以下、別実施形態を列記する。
【００２４】
（１）上記実施形態では、前記分配供給装置において、分配用の６個の搬送経路のうち、前記各軸体２０を左右の３列づつの搬送経路に分けて、左右２分割式の分配用搬送経路を構成する場合を例示したが、このような構成に限らず、６列の搬送経路を構成する６個の搬送用支持体を１本の軸体にて支持する構成としてもよい。又、分配用の搬送経路としては、６個に限らず、それ以外の個数でもよく、要するに複数の搬送ラインに分岐供給する構成であればよい。
【００２５】
（２）上記実施形態では、自転手段ＪＳを構成する摺接部材２９が、広幅の板体にて構成され、塵埃等を受け止めることができる構成としたが、このような構成に限らず、例えば、図１２に示すように、前記各搬送用支持体２３の移動経路における下側部分にのみ存在する板材で構成してもよく、又、図１３に示すように、前記各搬送用支持体２３における大径の軸芯方向両端側箇所の外周部にのみ対応する摺接部材２９で構成してもよい。又、前記各搬送用支持体２３における軸芯方向両端側の外周部に限らず、中央側個所の外周部に摺接作用するものでもよい。
【００２６】
（３）上記実施形態では、自転手段ＪＳとして、前記各搬送用支持体２３における外周部に摺接作用する摺接部材２９にて構成したが、このような構成に限らず、例えば、図１４、図１５に示すように、前記各搬送用支持体２３を前記軸体２０に対して一体回動すべく固定状態で取付けるとともに、前記各軸体２０にピニオンギア３１を取付け、このピニオンギア３１に噛合うラックギア３０を搬送方向に沿って配置して、軸体２０と一体的に自転させながら移動させる構成としてもよい。尚、この場合、各軸体２０の外周部に軸芯方向に沿って突条３３を形成するとともに、各搬送用支持体２３にはこの突条３３に係合する係合溝３４を形成して、前記各搬送用支持体２３が、各軸体２０に対して、軸芯周りで一体回動しながら、軸芯方向に沿って移動自在に支持する構成としている。
【００２７】
（４）上記実施形態では、前記各搬送用支持体２３がブッシュを除く全体部分が弾性体としてのゴム材にて構成されるものを例示したが、物品（ミカンＭ）を載置支持する外周部だけを弾性体にて構成してもよい。弾性体としては、ゴム材に限らず、スポンジ等の他の弾性体でもよい。
【００２８】
（５）上記実施形態では、搬送対象となる農産物としてミカンＭを例示したが、本発明は、ミカンＭに限らず、トマト、玉葱、りんご、桃、梨、茄子等のミカンＭ以外の果菜類にも適用でき、又、このような果菜類に限らず、ジャガイモ、サツマイモ等の根菜類にも適用できる。あるいは、このような果菜類や根菜類に限らず、卵等の畜産物等であってもよい。
【図面の簡単な説明】
【図１】選果設備の概略構成を示すブロック図
【図２】分配供給装置の平面図
【図３】搬送始端側における分配供給装置の縦断正面図
【図４】搬送終端側における分配供給装置の縦断正面図
【図５】分配供給装置の側面図
【図６】分配供給装置の一部切欠縦断正面図
【図７】分配供給装置の一部切欠縦断正面図
【図８】軸体支持部の構成を示す一部側面図
【図９】重なり状態を示す搬送作用説明図
【図１０】重なり解除状態を示す搬送作用説明図
【図１１】重なり解除状態を示す搬送作用説明図
【図１２】別実施形態の自転手段を示す一部切欠縦断正面図
【図１３】別実施形態の自転手段を示す一部切欠縦断正面図
【図１４】別実施形態の自転手段を示す一部切欠縦断正面図
【図１５】別実施形態の自転手段を示す説明図
【符号の説明】
２０          軸体
２３          搬送用支持体
２８          案内手段
２９          摺接部材
Ｍ            物品
ＪＳ          自転手段
【図１】
0003761368.tif 000002
【図２】
0003761368.tif 000003
【図３】
0003761368.tif 000004
【図４】
0003761368.tif 000005
【図５】
0003761368.tif 000006
【図６】
0003761368.tif 000007
【図７】
0003761368.tif 000008
【図８】
0003761368.tif 000009
【図９】
0003761368.tif 000010
【図１０】
0003761368.tif 000011
【図１１】
0003761368.tif 000012
【図１２】
0003761368.tif 000013
【図１３】
0003761368.tif 000014
【図１４】
0003761368.tif 000015
【図１５】
0003761368.tif 000016